(57)【要約】【課題】不適当な環境に配置されていることを容易に判別可能にする表示装置を提供する。【解決手段】表示装置４０は、表示部４２と、制御装置４６と、温度センサ４５とを備える。表示部は、電子ペーパーからなり、商品の情報を表示する。制御装置は、表示部における情報の表示態様を制御する。温度センサは、周囲温度を測定するためのセンサである。制御装置は、温度値取得部６２ｄと、表示態様制御部６２ｆとを有する。温度値取得部は、周囲温度に関する値を取得する。周囲温度は、温度センサによって測定された温度である。表示態様制御部は、周囲温度に関する値に基づいて、表示部における表示態様を、第１表示態様と第２表示態様とのいずれか一方に制御する。第１表示態様は、情報が正常に表示された表示態様である。第２表示態様は、情報の正常な表示が出来ない可能性を示唆する表示態様である。【選択図】図３
0003183675.tif 000002
【実用新案登録請求の範囲】
【請求項１】
電子ペーパーからなり、商品の情報を表示する表示部と、
前記表示部における前記情報の表示態様を制御する制御装置と、
周囲温度を測定するための温度センサと、
を備え、
前記制御装置は、
前記温度センサによって測定された前記周囲温度に関する値を取得する温度値取得部と、
前記周囲温度に関する値に基づいて、前記表示部における前記表示態様を、前記情報が正常に表示された前記表示態様である第１表示態様と、前記情報の正常な表示が出来ない可能性を示唆する前記表示態様である第２表示態様とのいずれか一方に制御する、表示態様制御部と、
を有する、
表示装置。
【請求項２】
前記制御装置は、
前記周囲温度に関する値と、所定の温度閾値とを比較し、前記情報の前記正常な表示の可否を判定する判定部、
をさらに有し、
前記表示態様制御部は、前記判定部による判定結果に基づき、前記表示部における前記表示態様を、前記第１表示態様および前記第２表示態様のいずれか一方に制御する、
請求項１に記載の表示装置。
【請求項３】
前記判定部は、前記周囲温度に関する値が、前記正常な表示が可能な温度範囲である前記所定の温度閾値を外れているか否かを判定し、
前記表示態様制御部は、前記判定部によって前記周囲温度に関する値が前記所定の温度閾値を外れていると判定された場合に、前記表示部における前記表示態様を、前記第２表示態様に制御する、
請求項２に記載の表示装置。
【請求項４】
前記制御装置は、
前記情報を受け付ける受付部
をさらに有し、
前記表示態様制御部は、
前記第１表示態様では、前記受付部によって受け付けた前記情報を前記表示部に表示させ、
前記第２表示態様では、前記情報の正常な表示が出来ない可能性を示唆する文字列を前記表示部に表示させるか、もしくは、前記表示部に表示された前記情報をクリアする、
請求項２または３に記載の表示装置。
【請求項５】
前記温度値取得部は、所定の時間間隔で、前記周囲温度に関する値を取得し、
前記判定部は、前記所定の時間間隔で、前記周囲温度に関する値と、前記所定の温度閾値とを比較し、前記情報の前記正常な表示の可否を判定し、
前記表示態様制御部は、前記表示部の前記表示態様を前記第２表示態様に制御した後、前記判定部によって前記情報の前記正常な表示が可能と判定された場合には、前記表示部の前記表示態様を、前記第１表示態様に戻す、
請求項２から４のいずれかに記載の表示装置。
【請求項６】
前記制御装置は、
前記受付部によって受け付けられた最新の前記情報を記憶する記憶領域
をさらに有し、
前記受付部は、前記周囲温度に関わらず前記情報を受け付け、
前記表示態様制御部は、前記判定部によって前記情報の前記正常な表示が可能と判定された場合には、前記第１表示態様として、前記表示部に前記最新の情報を表示させる、
請求項４に記載の表示装置。
【請求項７】
電子ペーパーからなり、商品の情報を表示する表示部と、
前記表示部における前記情報の表示態様を制御する制御装置と、
周囲温度を測定するための温度センサと、
を備え、
前記制御装置は、
前記温度センサによって測定された前記周囲温度に関する値を取得する温度値取得部と、
前記情報を受け付ける受付部と、
前記受付部によって前記情報が受け付けられると、前記情報が受け付けられた旨を示す応答信号を送信する応答信号送信部と、
前記周囲温度に関する値に基づいて、前記応答信号送信部による前記応答信号の送信機能を、前記応答信号の送信を許可する第１機能状態と、前記応答信号の送信を許可しない第２機能状態とのいずれか一方に制御する、送信機能制御部と、
を有する、
表示装置。
【考案の詳細な説明】
【技術分野】
【０００１】
本考案は、表示装置に関する。
【背景技術】
【０００２】
従来、スーパーマーケットやコンビニエンスストア等の店舗では、例えば、特許文献１（特開２００４―２６５１９６号公報）に示すように、表示システムが採用されている。表示システムでは、店舗で取り扱われる複数の商品についての情報（商品情報）がサーバで一元管理されている。また、店舗では、複数の商品それぞれに対応付けられた表示装置が配置される。表示装置には、対応付けられた商品の商品情報が表示される。表示システムでは、サーバで管理されている商品情報が更新されると、当該更新を表示装置に反映させるために、サーバから表示装置に向けて商品情報を含むコマンドが送られる。表示装置は、コマンドを受信すると、当該コマンドに基づいて、表示装置の表示内容を更新する。
【考案の概要】
【考案が解決しようとする課題】
【０００３】
ところで、近年では、省エネルギー化の需要を満たすために、表示媒体として電子ペーパーが採用される場合がある。電子ペーパーは、表示内容の保持に電力を必要としないため、省エネルギーを実現することができる。ここで、電子ペーパーの表示機能を問題なく発揮するためには、電子ペーパーの構造上の理由から、所定の環境で利用されることが求められている。しかし、表示装置は、商品に対応付けられて配置されるものであるため、商品の移動に伴って、環境条件を満たさないような不適当な環境に移動されることがある。その結果、表示装置に商品情報が好適に表示されず、表示装置の信頼性が低下する可能性がある。
【０００４】
本考案の課題は、不適当な環境に配置されていることを容易に判別可能にする表示装置を提供することにある。
【課題を解決するための手段】
【０００５】
本考案に係る表示装置は、表示部と、制御装置と、温度センサとを備える。表示部は、電子ペーパーからなり、商品の情報を表示する。制御装置は、表示部における情報の表示態様を制御する。温度センサは、周囲温度を測定するためのセンサである。制御装置は、温度値取得部と、表示態様制御部とを有する。温度値取得部は、周囲温度に関する値を取得する。周囲温度は、温度センサによって測定された温度である。表示態様制御部は、周囲温度に関する値に基づいて、表示部における表示態様を、第１表示態様と第２表示態様とのいずれか一方に制御する。第１表示態様は、情報が正常に表示された表示態様である。第２表示態様は、情報の正常な表示が出来ない可能性を示唆する表示態様である。
【０００６】
本考案に係る表示装置では、温度センサによって測定された周囲温度に基づいて、表示部の表示態様が第１表示態様および第２表示態様のいずれか一方に制御される。第１表示態様では、情報が正常に表示される。第２表示態様では、情報の正常な表示が出来ない可能性が示唆される。これにより、正常な表示ができない可能性をユーザに知らせることができる。
【０００７】
また、制御装置は、判定部をさらに有することが好ましい。判定部は、周囲温度に関する値と、所定の温度閾値とを比較し、情報の正常な表示の可否を判定する。また、表示態様制御部は、判定部による判定結果に基づき、表示部における表示態様を、第１表示態様および第２表示態様のいずれか一方に制御することが好ましい。これにより、表示装置において、商品情報を好適に表示することができる。
【０００８】
また、判定部は、周囲温度に関する値が、正常な表示が可能な温度範囲である所定の温度閾値を外れているか否かを判定し、表示態様制御部は、判定部によって周囲温度に関する値が所定の温度閾値を外れていると判定された場合に、表示部における表示態様を、第２表示態様に制御することが好ましい。これにより、不適当な環境に移動されたことを、ユーザに気づかせることができる。
【０００９】
また、制御装置は、受付部をさらに有することが好ましい。受付部は、情報を受け付ける。また、表示態様制御部は、第１表示態様では、受付部によって受け付けた情報を表示部に表示させ、第２表示態様では、情報の正常な表示が出来ない可能性を示唆する文字列を表示部に表示させるか、もしくは、表示部に表示された情報をクリアすることが好ましい。これにより、ユーザに対して、不適当な環境に移動されたことを確実に気づかせることができる。
【００１０】
また、温度値取得部は、所定の時間間隔で、周囲温度に関する値を取得し、判定部は、所定の時間間隔で、周囲温度に関する値と、所定の温度閾値とを比較し、情報の正常な表示の可否を判定することが好ましい。また、表示態様制御部は、表示部の表示態様を第２表示態様に制御した後、判定部によって情報の正常な表示が可能と判定された場合には、表示部の表示態様を、第１表示態様に戻すことが好ましい。これにより、適当な環境に移動させることにより、継続して電子棚札を使用することができる。
【００１１】
また、制御装置は、記憶領域をさらに有することが好ましい。記憶領域は、受付部によって受け付けられた最新の情報を記憶する。また、受付部は、周囲温度に関わらず情報を受け付け、表示態様制御部は、判定部によって情報の正常な表示が可能と判定された場合には、第１表示態様として、表示部に最新の情報を表示させることが好ましい。これにより、一時的に不適当な環境に移動された場合であっても、適当な環境に移動させられた際に、最新の情報を電子棚札に表示することができる。
【００１２】
本考案に係る表示装置は、表示部と、制御装置と、温度センサとを備える。表示部は、電子ペーパーからなり、商品の情報を表示する。制御装置は、表示部における情報の表示態様を制御する。温度センサは、周囲温度を測定するためのセンサである。制御装置は、温度値取得部と、受付部と、応答信号送信部と、送信機能制御部とを有する。温度値取得部は、周囲温度に関する値を取得する。周囲温度は、温度センサによって測定された温度である。受付部は、情報を受け付ける。応答信号送信部は、受付部によって情報が受け付けられると、情報が受け付けられた旨を示す応答信号を送信する。送信機能制御部は、周囲温度に関する値に基づいて、応答信号送信部による応答信号の送信機能を、第１機能状態と第２機能状態とのいずれか一方に制御する。第１機能状態は、応答信号の送信を許可する。第２機能状態は、応答信号の送信を許可しない。
【考案の効果】
【００１３】
本考案に係る表示装置は、不適当な環境に配置されていることを容易に判別可能にする。
【図面の簡単な説明】
【００１４】
【図１】本考案の一実施形態に係る表示装置としてのＥＳＬ（電子棚札）を用いた電子棚札システムを示す図である。
【図２】ＥＳＬの外観を示す図である。また、表示部には、第１表示態様としての商品情報が表示されている。
【図３】ＥＳＬの概略構成を示すブロック図である。
【図４】第２表示態様の表示部に表示される警告画像の例を示す図である。
【図５】第２表示態様の表示部に表示される警告画像の例を示す図である。
【図６】表示態様制御に係る処理の流れを示す図である。
【図７】変形例Ａに係る警告画像の例を示す図である。
【図８】変形例Ｃに係るＥＳＬを示す図である。
【図９】変形例Ｄに係るＥＳＬを示す図である。
【図１０】変形例Ｆに係るＥＳＬを示す図である。
【図１１】変形例Ｆに係るＥＳＬを示す図である。
【考案を実施するための形態】
【００１５】
以下、図面を参照しながら、本考案の一実施形態に係る表示装置（電子棚札）を用いたシステム（電子棚札システム）１を説明する。
【００１６】
（１）全体構成
図１に、本考案に係る電子棚札システム１を示す。電子棚札システム１は、スーパーマーケットやコンビニエンスストアのような店舗において、商品の発注、生産、販売、価格等に関するデータを一括管理するシステムである。
【００１７】
図１に示すように、電子棚札システム１は、主として、表示装置としての複数のＥＳＬ（電子棚札）４０，４０，・・・と、ＥＳＬサーバ１０と、ベースステーション２０と、複数のトランシーバ３０，３０，・・・とから構成されている。電子棚札システム１に含まれるＥＳＬ４０、ベースステーション２０、およびトランシーバ３０の数は、図１に示される数に限定されるものではない。
【００１８】
ＥＳＬ４０は、店舗で取り扱われる複数の商品のそれぞれに対応付けて配置される表示装置である。ＥＳＬ４０は、店舗の売り場で陳列される複数の商品のうち、対応付けられた商品の近傍に配置され、対応付けられた商品に係る商品情報を表示する（図２参照）。
【００１９】
ＥＳＬサーバ１０は、ワークステーションやパーソナルコンピュータ等のコンピュータに、電子棚札システム１を制御するためのソフトウェアをインストールした装置である。ＥＳＬサーバ１０は、店舗で取り扱われる複数の商品の情報を一元管理する。すなわち、ＥＳＬサーバ１０には、店舗で取り扱われる全ての商品に関する種々の情報（商品情報・ＥＳＬ情報等）が記憶されている。商品情報とは、商品の基本的な情報であって、商品名、商品ＩＤ、単価、価格、消費期限等が含まれる。ＥＳＬ情報とは、ＥＳＬ４０に関する基本的な情報であって、機器ＩＤ、商品ＩＤ、商品名等が含まれる。ＥＳＬサーバ１０は、店舗のバックヤード等に配置される。
【００２０】
ＥＳＬサーバ１０は、複数のＥＳＬ４０の表示内容を管理する。具体的に、ＥＳＬサーバ１０は、管理する商品情報が更新されると、商品情報の表示または商品情報の更新等を指令するコマンドを生成し、店舗内の全てのＥＳＬ４０またはいずれかのＥＳＬ４０に対して、当該コマンドを送信する。コマンドは、ＥＳＬ４０に対して、各種処理の実行を指令する信号である。コマンドには、ＥＳＬ４０に実行させる処理に必要な情報が含まれる。例えば、コマンドに含まれる情報には、ＥＳＬ４０の画面に表示させる商品情報（例えば、イメージ情報）が含まれる。また、コマンドには、コマンドを実行させる対象となるＥＳＬ（対象ＥＳＬ）の識別子が付加される。ＥＳＬ４０およびＥＳＬサーバ１０は、ベースステーション２０およびトランシーバ３０を介して信号の授受を行う。
【００２１】
ベースステーション２０は、ＥＳＬサーバ１０とトランシーバ３０とを中継する機能を有する。ベースステーション２０は、専用の通信ケーブル２を介して、ＥＳＬサーバ１０およびトランシーバ３０と接続されている。トランシーバ３０は、送受信機である。具体的に、トランシーバ３０は、ＥＳＬ４０への送信機能と、ＥＳＬ４０から送られる応答信号の受信機能とを併せ持つ。より具体的に、トランシーバ３０は、赤外線等を使用した無線によって、ＥＳＬサーバ１０から送られた信号を各ＥＳＬ４０に送信する。すなわち、トランシーバ３０は、ＥＳＬ４０に対して商品情報を含む赤外線信号を送信する。また、トランシーバ３０は、ＥＳＬ４０から送られる応答信号を受信してＥＳＬサーバ１０に送る。トランシーバ３０は、例えば、店舗内（例えば、天井）の区画毎に、一定の間隔を空けて取り付けられる。各トランシーバ３０によって、各通信エリアが形成される。
【００２２】
ＥＳＬサーバ１０において、コマンドが生成されると、ＥＳＬサーバ１０は、ベースステーション２０およびトランシーバ３０を介して、当該コマンドをＥＳＬ４０へ送信する。各ＥＳＬ４０は、ＥＳＬサーバ１０から送信されたコマンドを検知すると、コマンドに付加された識別子（付加識別子）と、各ＥＳＬ４０がそれぞれ有する固有の識別子（固有識別子）とを比較する。各ＥＳＬ４０は、付加識別子と固有識別子とが同じである場合に、コマンドを受信し、コマンドに基づいて画面に表示する商品情報を更新する。すなわち、ＥＳＬ４０は、ＥＳＬサーバ１０から送られたコマンドに応じて、表示内容を更新または変化させる。
【００２３】
以下、ＥＳＬ４０の構成について詳細に説明する。
【００２４】
（２）ＥＳＬ
ＥＳＬ４０は、図２に示すように、商品情報を表示させるための端末である。ＥＳＬ４０は、上述したように、店舗で取り扱われる複数の商品のそれぞれに対応付けて配置され、対応付けられた商品に係る商品情報を表示する。ＥＳＬ４０は、対応付けられた商品の近傍に配置される。ＥＳＬ４０に表示される商品情報には、図２に示すように、商品名、単価、価格、バーコード等が含まれる。
【００２５】
ＥＳＬ４０は、図３に示すように、主として、通信部４１と、表示部４２と、電池４３と、コンデンサ４４と、温度センサ４５と、制御装置４６とを有する。
【００２６】
（２−１）通信部
通信部４１は、トランシーバ３０や外部端末（例えば、図示しない携帯端末）との通信を可能にする。具体的に、通信部４１は、ＥＳＬサーバ１０によるコマンドの送信に伴ってトランシーバ３０から送られる赤外線、および、外部端末から送られる信号を受信する受信部として機能する。
【００２７】
また、通信部４１は、ＥＳＬサーバ１０に対して応答信号に係る赤外線を送信する送信部としても機能する。ここで、応答信号とは、ＥＳＬサーバ１０から送られたコマンドの受信を知らせるための信号であって、後述する応答信号送信部６２ｃによって送信される。すなわち、応答信号送信部６２ｃによって送信された応答信号が、通信部４１を介してトランシーバ３０に送られる。
【００２８】
なお、通信部４１は、図２に示すように、ＥＳＬ４０の枠体４０ａに設けられる。
【００２９】
（２−２）表示部
表示部４２は、商品に関する情報を表示させる画面を構成する。表示部４２は、ドットマトリクスタイプの電子ペーパーからなる。すなわち、表示部４２は、マトリクス状に配列された複数の画素で構成された不揮発性の表示部である。表示部４２は、表示内容の保持に駆動電力を必要としない。
【００３０】
表示部４２は、ＥＳＬサーバ１０から送られるコマンドに基づいて、商品情報を表示する。また、表示部４２に表示される内容は、コマンドに基づいて更新される。
【００３１】
なお、表示部４２は、所定の環境条件下で、表示機能を確実に発揮するものとする。本実施形態において、所定の環境条件とは、周囲温度が０℃〜３５℃の範囲である。
【００３２】
（２−３）電池およびコンデンサ
電池４３は、ＥＳＬ４０の電力源である。電池４３は、枠体４０ａの内部に設けられる。コンデンサ４４は、電池４３から供給される電力を蓄える。コンデンサ４４には、後述する制御装置４６に設けられた昇圧回路によって昇圧された電力が蓄えられる。
【００３３】
（２−４）温度センサ
温度センサ４５は、周囲温度を測定する。温度センサ４５は、枠体４０ａまたは枠体４０ａ内部に取り付けられている。温度センサ４５は、表示部４２の環境条件に関わらず周囲温度を測定する。言い換えると、温度センサ４５は、表示部４２が正常に機能を発揮する温度範囲より広い温度範囲で機能する。例えば、温度センサ４５は、−３０℃から６０℃の範囲で周囲温度を測定することが可能である。
【００３４】
（２−５）制御装置
制御装置４６は、ＣＰＵ、ＲＯＭ、およびＲＡＭ等によって構成される。制御装置４６もまた、表示部４２の環境条件に関わらず駆動する。言い換えると、制御装置４６もまた、表示部４２が正常に機能を発揮する温度範囲より広い温度範囲で機能する。制御装置４６には、図示しない昇圧回路および充電回路等が設けられている。また、制御装置４６は、主として、記憶部６１および制御部６２として機能する。
【００３５】
（２−５−１）記憶部
記憶部６１は、ＥＳＬ４０の画面を管理するためのプログラムの他、各ＥＳＬ４０に固有の識別子（機器ＩＤ）や後述する判定処理に必要なプログラムおよび温度閾値等を記憶する。また、記憶部６１には、主として、コマンド記憶領域６１ａ、センサ値記憶領域６１ｂ、および警告画像記憶領域６１ｃが確保されている。
【００３６】
（ａ）コマンド記憶領域
コマンド記憶領域６１ａには、後述するコマンド受付部６２ｂによって受け付けられた最新のコマンドが記憶されている。言い換えると、コマンド記憶領域６１ａには、ＥＳＬサーバ１０から送信されたコマンドのうち、最新のコマンドが記憶される。具体的に、最新のコマンドには、上述の表示部４２に表示させる商品情報に係るイメージ画像が含まれる。なお、後述の表示態様制御部６２ｆは、コマンド記憶領域６１ａに記憶されたイメージ画像に基づいて、表示部４２に表示させる情報を制御する。
【００３７】
（ｂ）センサ値記憶領域
センサ値記憶領域６１ｂには、後述するセンサ値取得部６２ｄによって取得された最新のセンサ値が記憶される。言い換えると、センサ値記憶領域６１ｂには、温度センサ４５によって検出された最新の周囲温度が記憶される。
【００３８】
（ｃ）警告画像記憶領域
警告画像記憶領域６１ｃには、警告画像が記憶されている。警告画像とは、ユーザに対して警告を促すための画像である。具体的に、警告画像は、ユーザに対して、商品情報の正常な表示ができない可能性を示唆する文字列を表示するための画像である。より具体的に、警告画像は、ＥＳＬ４０が、所定の環境条件から外れた環境下に配置されているため、画面上に商品情報が正しく情報できない可能性がある事を示唆する文字列を含む。本実施形態では、警告画像記憶領域６１ｃに複数の警告画像が記憶されている。
【００３９】
複数の警告画像には、第１警告画像（図４参照）と第２警告画像（図５参照）とが含まれる。第１警告画像および第２警告画像には、ＥＳＬ４０が「使用可能温度範囲外」に配置されている旨と、取るべき対応策とに関する文字列が含まれている。ここで、第１警告画像では、取るべき対応策に関する文字列として、０℃以上の場所への移動を促す文字列が含まれる。一方、第２警告画像では、取るべき対応策に関する文字列として、３５℃以下の場所への移動を促す文字列が含まれる。
【００４０】
警告画像記憶領域６１ｃに記憶されている警告画像は、後述する表示態様制御部６２ｆによって表示部４２における表示態様が第２表示態様に制御される際に用いられる。
【００４１】
（２−５−２）制御部
制御部６２は、ＲＯＭ、ＲＡＭ等に記憶されたプログラムに基づいて、モード設定部６２ａ、コマンド受付部（受付部）６２ｂ、応答信号送信部６２ｃ、センサ値取得部（温度値取得部）６２ｄ、環境条件判定部（判定部）６２ｅ、および表示態様制御部６２ｆとして機能する。
【００４２】
（ａ）モード設定部
モード設定部６２ａは、所定の時間間隔（例えば、１秒毎）で、ＥＳＬ４０の運転モードを切り替える。ここで、運転モードには、アクティブモードとスリープモードとが含まれる。すなわち、モード設定部６２ａは、所定の時間間隔でスリープモードとアクティブモードとを切り替える。ここで、アクティブモードは、ＥＳＬサーバ１０からのコマンドを受信可能なモードである。すなわち、モード設定部６２ａによってアクティブモードが設定されているとき、ＥＳＬ４０は、トランシーバ３０から送信される赤外線信号が受信可能である。また、スリープモードは、ＥＳＬサーバ１０からのコマンドを受信不可能なモードである。すなわち、モード設定部６２ａによってスリープモードが設定されているとき、ＥＳＬ４０は、トランシーバ３０から送信される赤外線信号が受信できない。ＥＳＬ４０は、ＥＳＬサーバ１０からのコマンドを受信する際およびコマンドに応じて表示内容を更新する際に、アクティブモードであり、それ以外は、スリープモードで待機する。
【００４３】
（ｂ）コマンド受付部
コマンド受付部６２ｂは、ＥＳＬサーバ１０から送られるコマンドを、通信部４１を介して受け付ける。具体的に、コマンド受付部６２ｂは、アクティブモードのとき、トランシーバ３０から送られる赤外線信号（ウェイクアップ信号）を検知する。コマンド受付部６２ｂによってウェイクアップ信号が検知されると、ＥＳＬ４０は、アクティブモードで待機する。その後、コマンド受付部６２ｂは、トランシーバ３０から送信される更新コマンドに付加された識別子（付加識別子）と、制御装置４６に記憶された各ＥＳＬ４０に固有の識別子（固有識別子）とを比較する。ここで、付加識別子と固有識別子とが一致した場合に限り、コマンド受付部６２ｂは、更新コマンドを受け付ける。その後、コマンド受付部６２ｂは、更新コマンドに含まれる情報（イメージ情報）をコマンド記憶領域６１ａに記憶する。
【００４４】
（ｃ）応答信号送信部
応答信号送信部６２ｃは、コマンド受付部６２ｂによって更新コマンドが受け付けられると、ＥＳＬサーバ１０に向けて応答信号（Ａｃｋ）を送信する。応答信号とは、更新コマンドを受け付けた旨を示す信号である。応答信号送信部６２ｃによって送信された応答信号は、通信部４１を介して赤外線によってトランシーバ３０に送られ、その後、トランシーバ３０を介してＥＳＬサーバ１０に送られる。
【００４５】
（ｄ）センサ値取得部
センサ値取得部６２ｄは、温度センサ４５によって計測される周囲温度に関する情報を、所定の時間間隔（例えば、１秒毎）で取得する。センサ値取得部６２ｄによって取得された周囲温度に関する情報（周囲温度値）は、上述したセンサ値記憶領域６１ｂに記憶される。
【００４６】
（ｅ）環境条件判定部
環境条件判定部６２ｅは、ＥＳＬ４０が設置されている環境に問題がないか否かを判定するための処理（判定処理）を、所定の時間間隔（例えば、１秒毎）で実行する。具体的に、環境条件判定部６２ｅは、所定の時間間隔で、ＥＳＬ４０が設置されている環境（設置環境）と、記憶部６１に記憶された温度閾値とを比較し、設置環境が、環境条件に合致しているか否かを判定する。ここで、温度閾値とは、表示部４２において正常な表示が可能な周囲温度の範囲を定義する値である。言い換えると、温度閾値とは、表示部４２が表示機能を確実に発揮できる周囲温度についての範囲を定義する値である。具体的に、温度閾値は、０℃〜３５℃（０℃≦ｘ≦３５℃）の範囲を定義する。
【００４７】
すなわち、環境条件判定部６２ｅは、周囲温度値と、所定の温度値（温度閾値）とを比較し、情報の正常な表示の可否を判定する。詳細に、環境条件判定部６２ｅは、センサ値記憶領域６１ｂに記憶されている最新の周囲温度値が、０℃以上であって、かつ、３５℃以下であるか否かを判定する。ここで、最新の周囲温度が、０℃以上であって、かつ、３５℃以下である場合には、設置環境が環境条件に合致しているものと判定する。一方、最新の周囲温度が、０℃より低い場合には、環境条件判定部６２ｅは、ＥＳＬ４０が第１警告環境に配置されているものと判定する。また、最新の周囲温度が、３５℃より高い場合には、環境条件判定部６２ｅは、ＥＳＬ４０が第２警告環境に配置されているものと判定する。環境条件判定部６２ｅによる判定結果は、記憶部６１に記憶される。
【００４８】
（ｆ）表示態様制御部
表示態様制御部６２ｆは、環境条件判定部６２ｅによる判定結果に基づいて、表示部４２の表示態様を制御する。ここで、表示態様とは、表示部４２に表示される内容および表示部４２における情報の表示・非表示等を含む表示部４２の表示状態を意味する。
【００４９】
具体的に、表示態様制御部６２ｆは、環境条件判定部６２ｅによる判定結果に基づいて、表示部４２の表示態様を、第１表示態様および第２表示態様のいずれかに制御する。言い換えると、表示態様制御部６２ｆは、センサ値記憶領域６１ｂに記憶された周囲温度値と、所定の温度閾値との比較結果に基づいて、表示部４２の表示態様を、第１表示態様および第２表示態様のいずれかに制御する。具体的に、表示態様制御部６２ｆは、環境条件判定部６２ｅによって、周囲温度値が所定の温度閾値の範囲内にあると判定された場合に、表示部４２における表示態様を、第１表示態様に制御する。一方、環境条件判定部６２ｅによって、周囲温度値が所定の温度閾値の範囲から外れていると判定された場合には、表示態様制御部６２ｆは、表示部４２における表示態様を、第２表示態様に制御する。
【００５０】
ここで、第１表示態様とは、情報が正常に表示された表示態様である。すなわち、表示態様制御部６２ｆは、第１表示態様において、コマンド受付部６２ｂによって受け付けられたコマンドに基づいて、表示部（画面）４２に表示させた内容を更新（変更）する。具体的に、表示態様制御部６２ｆは、コマンド記憶領域６１ａに記憶されたイメージ情報に基づいて表示内容を更新する。すなわち、表示態様制御部６２ｆは、最新のイメージ情報に基づいて、先に画面に表示していた古いイメージ情報をクリアする。第１表示態様では、ＥＳＬサーバ１０から送信された最新の商品情報に係るイメージ情報が表示部４２に表示される。
【００５１】
一方、第２表示態様とは、警告画像記憶領域６１ｃに記憶された警告画像に基づいて、表示内容を更新させた状態である。言い換えると、第２表示態様では、情報の正常な表示が出来ない可能性を示唆する文字列を表示部４２に表示させる。すなわち、第２表示態様では、環境条件判定部６２ｅによる判定結果に基づいて、第１警告画像および第２警告画像のいずれか一方が表示部４２に表示される。具体的に、環境条件判定部６２ｅによって、ＥＳＬ４０が第１警告環境に配置されているものと判定された場合には、表示部４２には、第１警告画像が表示される。一方、環境条件判定部６２ｅによって、ＥＳＬ４０が第２警告環境に配置されているものと判定された場合には、表示部４２には、第２警告画像が表示される。第２表示態様では、ＥＳＬサーバ１０から送信された最新の商品情報に係るイメージ情報は表示部４２に表示されず、警告情報が表示される。
【００５２】
（３）ＥＳＬにおける処理
次に、図６を参照して、ＥＳＬ４０における表示態様の制御に係る処理の流れを説明する。
【００５３】
ステップＳ１１では、センサ値取得部６２ｄによって、温度センサ４５で計測された周囲温度に関する情報（周囲温度値）が取得される。センサ値取得部６２ｄによって取得された周囲温度値は、センサ値記憶領域６１ｂに記憶される。その後、ステップＳ１２に進む。
【００５４】
ステップＳ１２では、環境条件判定部６２ｅによって、ＥＳＬ４０が設置されている環境に問題がないか否かを判定するため判定処理が実行される。具体的に、環境条件判定部６２ｅは、センサ値記憶領域６１ｂに記憶された周囲温度値と、記憶部６１に記憶された温度閾値とを比較し、ＥＳＬ４０の設置環境が、環境条件に合致しているか否かを判定する。ステップＳ１２において、センサ値記憶領域６１ｂに記憶された周囲温度値が、所定の温度閾値の範囲から外れると判定された場合には、ステップＳ１５に進む。一方、ステップＳ１２において、センサ値記憶領域６１ｂに記憶された周囲温度値が、所定の温度閾値の範囲内であると判定された場合には、ステップＳ１３に進む。
【００５５】
ステップＳ１３では、警告画像が表示されているか否かが判定される。ステップＳ１３において、警告画像が表示されていないと判定された場合には、ステップＳ１１に戻る。一方、ステップＳ１３において、警告画像が表示されていると判定された場合には、ステップＳ１４に進む。
【００５６】
ステップＳ１４では、表示態様制御部６２ｆによって、表示部４２における表示態様が、第１表示態様に制御される。すなわち、表示態様制御部６２ｆは、表示部４２に最新の商品情報に係るイメージ情報を表示する。具体的に、表示態様制御部６２ｆは、警告画像をクリアし、コマンド記憶領域６１ａに記憶されている最新のコマンドに含まれるイメージ情報に基づいて、商品情報を表示部４２に表示する。その後、ステップＳ１１に戻る。
【００５７】
一方、ステップＳ１２において、センサ値記憶領域６１ｂに記憶された周囲温度値が、所定の温度閾値の範囲から外れると判定され、ステップＳ１５に進むと、ステップＳ１５では、環境条件判定部６２ｅによって、周囲温度値が下限値より低いか否かが判定される。すなわち、ステップＳ１５では、環境条件判定部６２ｅによって、周囲温度値が、０℃より低いか否かが判定される。ステップＳ１５において、周囲温度値が、０℃より低いと判定された場合には、ステップＳ１６に進む。一方、ステップＳ１５において、周囲温度値が、０℃以上であると判定された場合には、ステップＳ１７に進む。すなわち、ステップＳ１５において、周囲温度値が３５℃より高い場合に、ステップＳ１７に進む。
【００５８】
ステップＳ１６では、表示態様制御部６２ｆによって、表示部４２に第１警告画像が表示される。その後、ステップＳ１１に戻る。
【００５９】
また、ステップＳ１７では、表示態様制御部６２ｆによって、表示部４２に第２警告画像が表示される。その後、ステップＳ１１に戻る。
【００６０】
（４）特徴
（４−１）
上記実施形態に係るＥＳＬ（表示装置）４０は、電子ペーパーからなる表示部４２を備える。表示部４２には、商品の情報が表示される。また、ＥＳＬ４０は、温度センサ４５によって周囲温度を測定する。制御装置４６は、温度センサ４５によって測定された周囲温度に関する値（周囲温度値）に基づいて、表示部４２の表示態様を、第１表示態様と第２表示態様とのいずれか一方に制御する。ここで、第１表示態様は、商品情報が正常に表示された表示態様である。また、第２表示態様は、商品情報の正常な表示が出来ない可能性を示唆する表示態様である。すなわち、上記実施形態に係るＥＳＬ４０は、温度センサによって得られる周囲温度値に基づき、表示部４２の態様を、表示部４２に商品情報が正常に表示される態様と、表示部に商品情報の正常な表示ができない可能性を示唆する態様とのいずれか一方に切り替える。これにより、正常な表示ができない可能性をユーザに知らせることができる。
【００６１】
ＥＳＬは、店舗において商品の近傍で商品に対応付けて配置される。ＥＳＬの表示部には、対応付けられた商品の情報が表示される。ここで、ＥＳＬの表示部に、電子ペーパーを採用した場合、表示機能を問題なく発揮するためには、電子ペーパーの環境条件を満たす必要がある。しかし、ＥＳＬは、店舗内であらゆる場所に移動させることが可能である。そのため、商品の移動に伴って、ＥＳＬの環境条件を満たさないような不適当な環境に移動される場合がある。その結果、ＥＳＬに商品情報が好適に表示されず、ＥＳＬの信頼性が低下する可能性がある。
【００６２】
また、ＥＳＬは、表示部に一旦表示させた情報を保持するために電力を必要としない。すなわち、表示部の表示機能に問題が発生して表示部に表示する商品情報が更新できていない場合であっても、表示部の画面に変化がない。言い換えると、表示部の表示機能に問題が発生していたとしても、先に表示させていた商品情報が表示部に表示されているため、オペレータは、ＥＳＬの異常を早期に発見することが困難である。
【００６３】
そこで、上記実施形態に係るＥＳＬ４０は、温度センサによって周囲温度を測定し、ＥＳＬ４０が、環境条件を満たさない場所にあるか否かを判定する。その後、ＥＳＬ４０は、判定結果に応じて、表示部４２の表示態様を制御する。ＥＳＬ４０が環境条件を満たさない場所に設置されている場合には、通常の表示とは異なる表示がされるため、オペレータは、正常な表示ができない可能性を早期に知ることができる。その結果、ＥＳＬ４０を早期に適切な設置環境に移動させることができ、ＥＳＬ４０で表示させる情報の信頼性を維持することもできる。
【００６４】
（４−２）
また、上記実施形態に係るＥＳＬ４０では、センサ値記憶領域６１ｂに記憶された周囲温度値と、記憶部６１に記憶された所定の温度閾値（温度範囲）とを比較し、商品情報の正常な表示の可否が判定される。また、環境条件判定部６２ｅによる判定結果に基づき、表示態様制御部６２ｆは、表示部４２における表示態様を、第１表示態様および第２表示態様のいずれか一方に制御する。表示部４２が表示機能を発揮する環境条件に対応する所定の温度閾値を記憶させておくことにより、表示部４２の表示機能が発揮できない可能性がある場合には、表示部４２の表示態様を変更させることができる。これにより、ＥＳＬ４０において、商品情報を好適に表示することができる。
【００６５】
（４−３）
さらに、上記実施形態に係るＥＳＬ４０では、環境条件判定部６２ｅによって、センサ値記憶領域６１ｂに記憶された周囲温度値が、正常な表示が可能な温度範囲である所定の温度閾値を外れているか否かが判定される。また、表示態様制御部６２ｆは、環境条件判定部６２ｅによって周囲温度値が所定の温度閾値を外れていると判定された場合に、表示部４２における表示態様を、第２表示態様に制御する。周囲温度値は、センサ値取得部６２ｄによって所定の時間間隔（例えば、１秒毎）で取得され、センサ値記憶領域６１ｂに記憶されている。これにより、不適当な環境に移動されたことを、オペレータに早期に気づかせることができる。
【００６６】
（４−４）
また、上記実施形態に係るＥＳＬ４０は、環境条件に合致する場所に配置されている場合には、表示部４２の表示態様が第１表示態様に制御される。第１表示態様では、コマンド受付部６２ｂによって受け付けられた商品情報が表示部４２に表示される。また、上記実施形態に係るＥＳＬ４０は、環境条件に合致しない場所に配置されている場合には、表示部４２の表示態様が第２表示態様に制御される。第２表示態様では、商品情報の正常な表示が出来ない可能性を示唆する文字列が表示部４２に表示される。これにより、ＥＳＬ４０の環境条件等に精通していないオペレータに対しても、不適当な環境に移動されたことを確実に気づかせることができる。
【００６７】
（４−５）
また、上記実施形態に係るＥＳＬ４０では、センサ値取得部６２ｄは、所定の時間間隔で、周囲温度に関する値を取得し、環境条件判定部６２ｅは、所定の時間間隔で、周囲温度に関する値と、所定の温度閾値とを比較し、情報の正常な表示の可否を判定する。また、表示態様制御部６２ｆは、表示部４２の表示態様を第２表示態様に制御した後、環境条件判定部６２ｅによって情報の正常な表示が可能と判定された場合には、表示部４２の表示態様を、第１表示態様に戻す。これにより、適当な環境に移動させることにより、継続してＥＳＬを使用することができる。
【００６８】
周囲温度値は、センサ値取得部６２ｄによって所定の時間間隔（例えば、１秒毎）で取得され、センサ値記憶領域６１ｂに記憶されている。また、ＥＳＬ４０の設置環境が、環境条件に合致するか否かもまた、環境条件判定部６２ｅによって、所定の時間間隔で判定される。したがって、オペレータは、ＥＳＬ４０が好ましい設置環境に配置されているか否かをタイムリーに把握することができる。
【００６９】
（４−６）
また、上記実施形態に係るＥＳＬ４０では、コマンド受付部６２ｂによって受け付けられた最新のコマンドがコマンド記憶領域６１ａに記憶される。最新のコマンドには、最新の商品情報に関するイメージ情報が含まれる。すなわち、コマンド記憶領域６１ａには、最新の商品情報に関するイメージ情報が記憶される。コマンド受付部６２ｂは、周囲温度に関わらず商品情報を含むコマンドを受け付ける。言い換えると、コマンド受付部６２ｂは、表示部４２の環境条件に関わらず、コマンドを受け付ける。また、表示態様制御部６２ｆは、環境条件判定部６２ｅによって商品情報の正常な表示が可能と判定された場合には、第１表示態様として、表示部４２に最新の商品情報を表示させる。
【００７０】
上記実施形態に係る制御装置４６は、表示部４２の環境条件よりも広い温度範囲で動作可能である。すなわち、コマンド受付部６２ｂは、ＥＳＬ４０が、表示部４２に必要な環境条件から外れた場所に移動された場合であっても、ＥＳＬサーバ１０からのコマンドを受け付け可能である。コマンド受付部６２ｂは、ＥＳＬサーバ１０から送信された新たなコマンドを受け付けると、コマンド記憶領域６１ａに記憶する。したがって、環境条件判定部６２ｅによって、設置環境が環境条件に合致すると判定された場合には、表示態様制御部６２ｆが、表示部４２の表示態様を、速やかに第１表示態様に切り替える。すなわち、ＥＳＬ４０の設置環境が環境条件に合致すると、表示部４２には、新たなコマンドに含まれたイメージ情報に基づいて商品情報が表示される。これにより、ＥＳＬ４０を適当な設置環境に移動させた後、すぐに、表示部４２において最新の商品情報を表示させることができる。
【００７１】
（５）変形例
（５−１）変形例Ａ
上記実施形態に係るＥＳＬ４０では、警告画像として、情報の正常な表示ができない可能性を示唆する文字列を表示するための画像を、警告画像記憶領域６１ｃに複数記憶した。
【００７２】
ここで、警告画像記憶領域６１ｃに記憶させる警告画像は、上記実施形態で例示した文字列以外の文字列を示すようなものであってもよい。
【００７３】
また、警告画像記憶領域６１ｃに記憶させる警告画像としては、上記実施形態で挙げたような文字列に限られない。例えば、警告画像として、図７に示すように、表示部４２に大きな×印が表示されるような画像情報を記憶していてもよい。
【００７４】
すなわち、第２表示態様として、設置環境が環境条件に合致しない場合に、表示部４２の表示態様を、通常の表示態様とは異なる態様に変更することができれば、警告画像は如何なる態様であってもよい。これにより、設置環境の改善をオペレータに気づかせることができる。
【００７５】
（５−２）変形例Ｂ
上記実施形態に係るＥＳＬ４０では、ＥＳＬ４０の設置環境が環境条件に合致していないと判定された場合、表示部４２に警告画像が表示される。
【００７６】
ここで、ＥＳＬ４０の設置環境が環境条件に合致していないと判定された場合に、表示部４２に表示されている内容がクリアされるように構成されていてもよい。
【００７７】
ＥＳＬ４０が、環境条件に合致しない場所に移動された場合、表示部４２は、正常に機能していない可能性がある。すなわち、表示部４２は、コマンド受付部６２ｂによって受け付けられた最新のコマンドに含まれるイメージ情報を表示せず、古いイメージ情報を表示したままの可能性がある。上記実施形態に係るＥＳＬ４０の表示部４２は、電子ペーパーによって構成されている。すなわち、新しいイメージ情報が表示部４２に表示されない場合であっても、表示部４２には、古いイメージ情報が残ったままになってしまう。それにより、オペレータが、ＥＳＬ４０の異常に気づかない可能性がある。
【００７８】
しかし、ＥＳＬ４０の設置環境が環境条件に合致していないと判定された場合に、表示部４２に表示されている内容がクリアされるように構成されることによって、オペレータに対して、ＥＳＬ４０に何らかの異常が発生していることを伝えることができる。
【００７９】
（５−３）変形例Ｃ
また、上記実施形態に係るＥＳＬ４０では、ＥＳＬ４０の設置環境が環境条件に合致していないと判定された場合に、表示部４２の表示態様を制御するが、表示部４２の表示態様を制御する構成に代えて、応答信号送信部６２ｃによって応答信号が送信されないように構成されていてもよい。
【００８０】
具体的に、上記実施形態に係るＥＳＬ４０に代えて、図８に示すように、ＥＳＬ１４０を採用してもよい。ＥＳＬ１４０は、上記実施形態に係る表示態様制御部６２ｆの代わりに送信機能制御部６２ｇを有する制御部１６２を備える。ここで、ＥＳＬ１４０は、記憶部１６１に、警告画像記憶領域６１ｃを有さなくてもよい。
【００８１】
送信機能制御部６２ｇは、応答信号送信部６２ｃによる応答信号の送信機能を、第１機能状態と第２機能状態とのいずれか一方に制御する。第１機能状態は、応答信号の送信を許可する。第２機能状態は、応答信号の送信を許可しない。すなわち、送信機能制御部６２ｇが応答信号送信部６２ｃの送信機能を第１機能状態に制御すると、コマンド受付部６２ｂによってコマンドが受け付けられた場合であっても、応答信号送信部６２ｃは、応答信号を送信しない。また、送信機能制御部６２ｇが応答信号送信部６２ｃの送信機能を第２機能状態に制御すると、コマンド受付部６２ｂによってコマンドが受け付けられた場合には、応答信号送信部６２ｃは、応答信号を送信する。送信機能制御部６２ｇは、センサ値記憶領域６１ｂに記憶されたセンサ値（周囲温度に関する値）に基づいて、応答信号送信部６２ｃによる応答信号の送信機能を、第１機能状態および第２機能状態のいずれか一方に制御する。
【００８２】
これにより、ＥＳＬサーバ１０において、ＥＳＬ１４０に何らかの異常が発生していることを把握することができる。その結果、オペレータは、ＥＳＬ１４０の異常を確認するため、ＥＳＬ１４０の配置場所に赴くことになるため、ＥＳＬ１４０が不適当な環境に配置されていることを判別可能になる。
【００８３】
（５−４）変形例Ｄ
また、変形例Ｂおよび変形例Ｃに記載のＥＳＬ４０，１４０の両方の機能を有するＥＳＬ２４０を採用してもよい。具体的に、ＥＳＬ２４０の設置環境が環境条件に合致していないと判定された場合、表示部４２に表示されている内容がクリアされるとともに、応答信号送信部６２ｃによって、応答信号が送信されないように構成されていてもよい。
【００８４】
具体的に、図９に示すように、ＥＳＬ２４０は、制御部２６２を有する。制御部２６２は、上記実施形態に係る制御部６２が、さらに、送信機能制御部６２ｇとして機能するように構成されている。送信機能制御部６２ｇは、変形例Ｃで説明した送信機能制御部６２ｇと同様に機能する。すなわち、ＥＳＬ２４０は、ＥＳＬサーバ１０からのコマンドを受け付けた場合であっても、ＥＳＬ２４０の設置環境が環境条件に合致していないと判定した場合には、表示部４２に何も表示せず、かつ、ＥＳＬサーバ１０に対して応答信号を送信しない。これによって、ＥＳＬ２４０が不適当な環境に配置されていることを、ＥＳＬ２４０の付近にいるオペレータに知らせることが可能になると共に、ＥＳＬサーバ１０においても、ＥＳＬ２４０に何らかの異常が発生していることを把握することができる。
【００８５】
（５−５）変形例Ｅ
上記実施形態に係るＥＳＬ４０では、環境条件判定部６２ｅは、表示部４２の環境条件に対応する温度閾値に基づいて、ＥＳＬ４０が設置されている環境が、環境条件に合致するか否かを判定する。
【００８６】
ここで、設置環境（周囲温度値）の比較対象とする温度閾値は、環境条件に対して余裕を持たせた値を設定してもよい。例えば、上記実施形態に係るＥＳＬ４０では、温度閾値を、０．５℃≦ｘ≦３４．５℃に設定してもよい。これにより、表示部４２の表示機能が確実に確保できるうちに、前もって、オペレータに設置環境改善を促すことができる。
【００８７】
（５−６）変形例Ｆ
上記実施形態に係るＥＳＬ４０は、ＥＳＬ４０の設置環境が環境条件に合致していないと判定された場合、表示部４２に警告画像が表示される。
【００８８】
ここで、ＥＳＬ４０は、表示部４２以外の部分によって、設置環境が環境条件に合致していないことが判別可能にする構成としてもよい。例えば、ＥＳＬ４０の枠体４０ａの全体または一部に、所定の温度領域を外れると色が変化するような特殊材料または塗料を採用することにより、ＥＳＬ４０の設置環境が環境条件から外れた場所にあることを判別可能にするようにしてもよい（図１０参照）。
【００８９】
また、周囲温度に応じて枠体４０ａの全体または一部の色が変化する構成に代えて、表示部４２の材料、塗料、または表示部４２に貼り付けるフィルムの色が変化するような構成であってもよい（図１１参照）。例えば、所定の温度領域を外れると不透明に変化する材料を表示部４２に用いるか、所定の温度領域を外れると不透明に変化する塗料またはフィルムを表示部４２の表示面に付加する。この場合であっても、ＥＳＬ４０の設置環境が環境条件から外れた場所にあることを、オペレータは把握することができる。また、表示面が不透明に変化することにより、表示部４２に不適当な情報が表示されていた場合であっても、当該情報を判別不能な状態に変化させることができる。
【符号の説明】
【００９０】
１      電子棚札システム
１０    ＥＳＬサーバ
２０    ベースステーション
３０    トランシーバ
４０    ＥＳＬ（電子棚札）（表示装置）
４１    通信部
４２    表示部
４３    電池
４４    コンデンサ
４５    温度センサ
４６    制御装置
６１    記憶部
６１ａ  コマンド記憶領域（記憶領域）
６１ｂ  センサ値記憶領域
６１ｃ  警告画像記憶領域
６２    制御部
６２ａ  モード設定部
６２ｂ  コマンド受付部（受付部）
６２ｃ  応答信号送信部
６２ｄ  センサ値取得部（温度値取得部）
６２ｅ  環境条件判定部（判定部）
６２ｆ  表示態様制御部
【先行技術文献】
【特許文献】
【００９１】
【特許文献１】特開２００４―２６５１９６号公報
【図１】
0003183675.tif 000003
【図２】
0003183675.tif 000004
【図３】
0003183675.tif 000005
【図４】
0003183675.tif 000006
【図５】
0003183675.tif 000007
【図６】
0003183675.tif 000008
【図７】
0003183675.tif 000009
【図８】
0003183675.tif 000010
【図９】
0003183675.tif 000011
【図１０】
0003183675.tif 000012
【図１１】
0003183675.tif 000013